(57)【要約】      （修正有）【課題】ダウエルピンを使用しなくても歯形模型を所要の通りに取り扱うことができる歯科技工用歯形模型を提供する。【解決手段】固定用プレート６と、固定用プレート６を支持するための基台本体部１０を有する支持基台８と、を備えた歯科技工用作業模型。基台本体部１０には第１連結突部１６，１８が設けられ、第１連結突部１６，１８の間に第２連結突部２８が設けられる。固定用プレート６の下面には、第１連結突部１６，１８に対応して、第１連結凹部４０が設けられ、第２連結突部２８に対応して、第２連結凹部が設けられる。また、第１連結突部１６，１８の内側面には、複数の第１凹状部２６が設けられ、第１連結凹部４０の外側面には、複数の第１突状部４８が設けられ、第２連結突部２８の両側面には、複数の第２凹状部３４が設けられ、第２連結凹部の両側面には、複数の第２凸状部が設けられる。【選択図】図２
2013078511.tif 000002
【特許請求の範囲】
【請求項１】
歯形模型が固定される固定用プレートと、前記固定用プレートを支持するための基台本体部を有する支持基台と、を備えた歯科技工用作業模型において、
前記基台本体部の上面には、その両側部に第１連結突部が設けられ、前記第１連結突部の間に第２連結突部が設けられ、前記第１及び第２連結突部は、上方に突出しているとともに、前記基台本体部の長手方向に延びており、
前記固定用プレートの下面には、前記基台本体部の前記第１連結突部に対応して、第１連結凹部が設けられ、前記第２連結突部に対応して、第２連結凹部が設けられ、前記第１及び第２連結凹部は、上方に延びているとともに、前記固定用プレートの長手方向に延びており、
また、前記基台本体部の前記第１連結突部の内側面には、前記基台本体部の長手方向に沿って複数の第１凹状部が設けられ、また前記固定用プレートの前記第１連結凹部の外側面には、前記第１連結突部の前記複数の第１凹状部に対応して、前記固定用プレートの長手方向に沿って複数の第１突状部が設けられており、
更に、前記基台本体部の前記第２連結突部の両側面には、前記基台本体部の長手方向に沿って複数の第２凹状部が設けられ、また前記第２連結凹部の両側面には、前記第２連結突部の前記複数の第２凹状部に対応して、前記固定用プレートの長手方向に沿って複数の第２凸状部が設けられており、
前記固定用プレートが前記基台本体部の上面に支持されると、前記基台本体部の第１及び第２連結突部と前記固定用プレートの前記第１及び第２連結凹部とが相互に連結されるとともに、前記第１及び第２連結突部の前記第１及び第２凹状部と前記第１及び第２連結凹部の前記第１及び第２凸状部とが相互に連結されることを特徴とする歯科技工用作業模型。
【請求項２】
前記基台本体部の前記第１連結突部の内側面は、内側に向けて下方に傾斜する第１内傾斜側面を有し、前記複数の第１凹状部は、前記第１内傾斜側面に前記基台本体部の長手方向に沿って設けられ、前記固定用プレートの前記第１連結凹部の外側面は、前記第１連結突部の前記第１内傾斜側面に対応して、内側に向けて下方に傾斜する第１外傾斜側面を有し、前記複数の第１凸状部は、前記第１外傾斜側面に前記固定用プレートの長手方向に沿って設けられていることを特徴とする請求項１に記載の歯科技工用作業模型。
【請求項３】
前記基台本体部の前記第２連結突部の両側面は、外側に向けて下方に傾斜する第２外傾斜側面を有し、前記複数の第２凹状部は、前記第２外傾斜側面に前記支持基台の長手方向に沿って設けられ、前記固定用プレートの前記第２連結凹部の両側面は、外側に向けて下方に傾斜する第２内傾斜側面を有し、前記複数の第２凸状部は、前記第２内傾斜側面に前記固定用プレートの長手方向に沿って設けられていることを特徴とする請求項１又は２に記載の歯科技工用作業模型。
【請求項４】
前記第２連結突部の前記第２外傾斜側面の傾斜角度及び前記第２連結凹部の前記第２内傾斜角度は２０〜４５°であることを特徴とする請求項３に記載の歯科技工用作業模型。
【請求項５】
前記第１及び第２連結突部の高さは、５〜１０ｍｍであることを特徴とする請求項１〜４のいずれかに記載の歯科技工用作業模型。
【請求項６】
前記基台本体部の一方の第１連結突部の内側面に設けられた前記複数の第１凹状部と、前記一方の第１連結突部の内側面に対向する前記基台本体部の前記第２連結突部の一方の外側面に設けられた前記複数の第２凹状部とは、前記基台本体部の長手方向にずれて配置され、また前記基台本体部の他方の第１連結突部の内側面に設けられた前記複数の第１凹状部と、前記他方の第１連結突部の内側面に対向する前記基台本体部の前記第２連結突部の他方の外側面に設けられた前記複数の第２凹状部とは、前記基台本体部の長手方向にずれて配置されていることを特徴とする請求項１〜５のいずれかに記載の歯科技工用作業模型。
【請求項７】
歯形模型が固定される固定用プレートと、前記固定用プレートを支持するための基台本体部を有する支持基台と、を備えた歯科技工用作業模型において、
前記基台本体部の上面には、その両側部に連結突部が設けられ、前記連結突部は、上方に突出しているとともに、前記基台本体部の長手方向に延びており、
前記固定用プレートの下面には、前記基台本体部の前記連結突部に対応して、連結凹部が設けられ、前記連結凹部は、上方に延びているとともに、前記固定用プレートの長手方向に延びており、
また、前記基台本体部の上面には、前記連結突部の間に一対の補助突部が設けられ、前記一対の補助突部は、前記基台本体部の長手方向に間隔をおいて配設された複数の補助突状部から構成され、また前記固定用プレートの下面には、前記基台本体部の前記一対の補助突部に対応して、一対の補助凹部が設けられ、前記一対の補助凹部は、前記一対の補助突部の前記複数の補助突状部に対応して、前記固定用プレートの長手方向に間隔をおいて配設された複数の補助凹状部から構成されており、
前記固定用プレートが前記基台本体部の上面に支持されると、前記基台本体部の前記連結突部と前記固定用プレートの前記連結凹部とが相互に連結されるとともに、前記基台本体部の前記一対の補助突部の前記複数の補助突状部と前記固定用プレートの前記一対の補助凹部の前記複数の補助凹状部とが相互に連結されることを特徴とする歯科技工用作業模型。
【請求項８】
前記基台本体部の前記連結突部の内側面には、前記基台本体部の長手方向に沿って複数の凹状部が設けられ、また前記固定用プレートの前記連結凹部の外側面には、前記連結突部の前記複数の凹状部に対応して、前記固定用プレートの長手方向に沿って複数の突状部が設けられていることを特徴とする請求項７に記載の歯科技工用作業模型。
【請求項９】
歯形模型が固定される固定用プレートと、前記固定用プレートを支持するための基台本体部を有する支持基台と、を備えた歯科技工用作業模型において、
前記基台本体部の上面には、その両側部に連結突部が設けられ、前記連結突部は、上方に突出しているとともに、前記基台本体部の長手方向に延びており、
前記固定用プレートの下面には、前記基台本体部の前記連結突部に対応して、連結凹部が設けられ、前記連結凹部は、上方に延びているとともに、前記固定用プレートの長手方向に延びており、
前記基台本体部の前記連結突部の内側面には、前記基台本体部の長手方向に沿って複数の凹状部が設けられ、また前記固定用プレートの前記連結凹部の外側面には、前記連結突部の前記複数の凹状部に対応して、前記固定用プレートの長手方向に沿って複数の突状部が設けられており、
また、前記基台本体部の上面には、前記連結突部の間に補助突部が設けられ、前記補助突部は、前記基台本体部の長手方向に間隔をおいて配設された複数の補助突状部から構成され、また前記固定用プレートの下面には、前記基台本体部の前記補助突部に対応して、補助凹部が設けられ、前記補助凹部は、前記補助突部の前記複数の補助突状部に対応して、前記固定用プレートの長手方向に間隔をおいて配設された複数の補助凹状部から構成されており、
前記固定用プレートが前記基台本体部の上面に支持されると、前記基台本体部の前記連結突部と前記固定用プレートの前記連結凹部とが相互に連結されるとともに、前記連結突部の前記複数の凹状部と前記連結凹部の前記複数の突状部とが相互に連結され、更に前記基台本体部の前記補助突部の前記複数の補助突状部と前記固定用プレートの前記補助凹部の前記複数の補助凹状部とが相互に連結されることを特徴とする歯科技工用作業模型。
【請求項１０】
前記補助突部の前記複数の補助突状部の各々の長さは、２〜５ｍｍであり、前記複数の補助突状部は、３〜７ｍｍのピッチ間隔で配置されていることを特徴とする請求項７〜９のいずれかに記載の歯科技工用作業模型。
【請求項１１】
歯形模型を切断するために使用する歯科技工用作業模型に用いる支持基台において、
基台本体部の上面には、その両側部に第１連結突部が設けられ、前記第１連結突部の間に第２連結突部が設けられ、前記第１及び第２連結突部は、上方に突出しているとともに、前記基台本体部の長手方向に延び、前記第１連結突部の内側面には、前記基台本体部の長手方向に沿って複数の第１凹状部が設けられ、また前記第２連結突部の両側面には、前記基台本体部の長手方向に沿って複数の第２凹状部が設けられていることを特徴とする歯科技工用作業模型の支持基台。
【請求項１２】
歯形模型を切断するために使用する歯科技工用作業模型に用いる支持基台において、
基台本体部の上面には、その両側部に連結突部が設けられ、前記連結突部は、上方に突出しているとともに、前記支持基台の長手方向に延び、前記基台本体部の上面には、更に、前記連結突部の間に一対の補助突部が設けられ、前記一対の補助突部は、前記基台本体部の長手方向に間隔をおいて配設された複数の補助突状部から構成されていることを特徴とする歯科技工用作業模型の支持基台。
【請求項１３】
歯形模型を切断するために使用する歯科技工用作業模型に用いる支持基台において、
基台本体部の上面には、その両側部に連結突部が設けられ、前記連結突部は、上方に突出しているとともに、前記基台本体部の長手方向に延び、前記基台本体部の前記連結突部の内側面には、前記基台本体部の長手方向に沿って複数の凹状部が設けられ、更に前記基台本体部の上面には、前記連結突部の間に補助突部が設けられ、前記補助突部は、前記基台本体部の長手方向に間隔をおいて配設された複数の補助突状部から構成されていることを特徴とする歯科技工用作業模型の支持基台。
【発明の詳細な説明】
【技術分野】
【０００１】
本発明は、歯科治療などにおいて用いられる歯科技工用作業模型及びこれに用いる支持基台に関する。
【背景技術】
【０００２】
一般に、歯科治療などにおいて用いられる歯科技工用作業模型は、歯形模型が固定される固定用プレートと、固定用プレートに植設された複数のダウエルピンと、固定用プレートを支持するための支持基台と、を備えている（例えば、特許文献１参照）。支持基台は合成樹脂から形成され、その上面には、複数の挿入孔及び複数の柱状突部が設けられている。挿入孔は、支持基台の上面にその長手方向に間隔を置いて配設され、また柱状突部は、挿入孔の両側に且つ支持基台の上面における側縁より内側に配設されている。固定用プレートは石膏から形成され、その下面には、支持基台の複数の柱状突部に対応して複数の柱状凹部が設けられている。
【０００３】
固定用プレートに植設されたダウエルピンを支持基台の挿入孔に挿入することにより、固定用プレートが支持基台の上面に支持される。この支持状態では、支持基台の柱状突部と固定用プレートの柱状凹部とが相互に連結される。そして、歯形模型の所定部位を固定用プレートとともに切断し、切断した固定用プレートを支持基台の上面に支持させた状態で、切断した歯形模型を用いて所要の作業（例えば、歯冠補綴物の製作など）が行われる。このとき、切断した固定用プレートの柱状凹部と支持基台の柱状突部とが相互に連結されているので、切断した固定用プレートの支持基台に対する回転が抑制される。
【先行技術文献】
【特許文献】
【０００４】
【特許文献１】特開２００９−１００８８０号公報
【発明の概要】
【発明が解決しようとする課題】
【０００５】
しかしながら、上述のような従来の歯科技工用作業模型では、固定用プレートに複数のダウエルピンを設ける構成であるので、この作業模型を製造する際には、ダウエルピンを別個に製作しなければならない。また、製作したダウエルピンを支持基台の挿入孔に挿入し、その後支持基台に枠部材を装着した後に、この枠部材内に石膏を流し込んで製作しており、その製造作業が煩雑である。
【０００６】
また、このような作業模型では、支持基台が合成樹脂から形成され、固定用プレートが石膏から形成され、またダウエルピンが金属（例えば、ステンレス鋼）から形成されているので、使用後に廃棄する際に、支持基盤（合成樹脂）、固定用プレート（石膏）及びダウエルピン（金属）にそれぞれ分別しなければならず、その廃棄も煩雑となる。
【０００７】
本発明の目的は、ダウエルピンを使用しなくても歯形模型を所要の通りに取り扱うことができ、また廃棄分別も容易に行うことができる歯科技工用歯形模型を提供することである。
【０００８】
本発明の他の目的は、歯科技工用歯形模型を容易に且つ安価に製作することができる歯科技工用作業模型の支持基台を提供することである。
【課題を解決するための手段】
【０００９】
本発明の請求項１に記載の歯科技工用作業模型は、歯形模型が固定される固定用プレートと、前記固定用プレートを支持するための基台本体部を有する支持基台と、を備えた歯科技工用作業模型において、
前記基台本体部の上面には、その両側部に第１連結突部が設けられ、前記第１連結突部の間に第２連結突部が設けられ、前記第１及び第２連結突部は、上方に突出しているとともに、前記基台本体部の長手方向に延びており、
前記固定用プレートの下面には、前記基台本体部の前記第１連結突部に対応して、第１連結凹部が設けられ、前記第２連結突部に対応して、第２連結凹部が設けられ、前記第１及び第２連結凹部は、上方に延びているとともに、前記固定用プレートの長手方向に延びており、
また、前記基台本体部の前記第１連結突部の内側面には、前記基台本体部の長手方向に沿って複数の第１凹状部が設けられ、また前記固定用プレートの前記第１連結凹部の外側面には、前記第１連結突部の前記複数の第１凹状部に対応して、前記固定用プレートの長手方向に沿って複数の第１突状部が設けられており、
更に、前記基台本体部の前記第２連結突部の両側面には、前記基台本体部の長手方向に沿って複数の第２凹状部が設けられ、また前記第２連結凹部の両側面には、前記第２連結突部の前記複数の第２凹状部に対応して、前記固定用プレートの長手方向に沿って複数の第２凸状部が設けられており、
前記固定用プレートが前記基台本体部の上面に支持されると、前記基台本体部の第１及び第２連結突部と前記固定用プレートの前記第１及び第２連結凹部とが相互に連結されるとともに、前記第１及び第２連結突部の前記第１及び第２凹状部と前記第１及び第２連結凹部の前記第１及び第２凸状部とが相互に連結されることを特徴とする。
【００１０】
また、本発明の請求項２に記載の歯科技工用作業模型では、前記基台本体部の前記第１連結突部の内側面は、内側に向けて下方に傾斜する第１内傾斜側面を有し、前記複数の第１凹状部は、前記第１内傾斜側面に前記基台本体部の長手方向に沿って設けられ、前記固定用プレートの前記第１連結凹部の外側面は、前記第１連結突部の前記第１内傾斜側面に対応して、内側に向けて下方に傾斜する第１外傾斜側面を有し、前記複数の第１凸状部は、前記第１外傾斜側面に前記固定用プレートの長手方向に沿って設けられていることを特徴とする。
【００１１】
また、本発明の請求項３に記載の歯科技工用作業模型では、前記基台本体部の前記第２連結突部の両側面は、外側に向けて下方に傾斜する第２外傾斜側面を有し、前記複数の第２凹状部は、前記第２外傾斜側面に前記支持基台の長手方向に沿って設けられ、前記固定用プレートの前記第２連結凹部の両側面は、外側に向けて下方に傾斜する第２内傾斜側面を有し、前記複数の第２凸状部は、前記第２内傾斜側面に前記固定用プレートの長手方向に沿って設けられていることを特徴とする。
【００１２】
また、本発明の請求項４に記載の歯科技工用作業模型では、前記第２連結突部の前記第２外傾斜側面の傾斜角度及び前記第２連結凹部の前記第２内傾斜角度は２０〜４５°であることを特徴とする。
【００１３】
また、本発明の請求項５に記載の歯科技工用作業模型では、前記第１及び第２連結突部の高さは、３〜１０ｍｍであることを特徴とする。
【００１４】
また、本発明の請求項６に記載の歯科技工用作業模型では、前記基台本体部の一方の第１連結突部の内側面に設けられた前記複数の第１凹状部と、前記一方の第１連結突部の内側面に対向する前記基台本体部の前記第２連結突部の一方の外側面に設けられた前記複数の第２凹状部とは、前記基台本体部の長手方向にずれて配置され、また前記基台本体部の他方の第１連結突部の内側面に設けられた前記複数の第１凹状部と、前記他方の第１連結突部の内側面に対向する前記基台本体部の前記第２連結突部の他方の外側面に設けられた前記複数の第２凹状部とは、前記基台本体部の長手方向にずれて配置されていることを特徴とする。
【００１５】
また、本発明の請求項７に記載の歯科技工用作業模型は、歯形模型が固定される固定用プレートと、前記固定用プレートを支持するための基台本体部を有する支持基台と、を備えた歯科技工用作業模型において、
前記基台本体部の上面には、その両側部に連結突部が設けられ、前記連結突部は、上方に突出しているとともに、前記基台本体部の長手方向に延びており、
前記固定用プレートの下面には、前記基台本体部の前記連結突部に対応して、連結凹部が設けられ、前記連結凹部は、上方に延びているとともに、前記固定用プレートの長手方向に延びており、
また、前記基台本体部の上面には、前記連結突部の間に一対の補助突部が設けられ、前記一対の補助突部は、前記基台本体部の長手方向に間隔をおいて配設された複数の補助突状部から構成され、また前記固定用プレートの下面には、前記基台本体部の前記一対の補助突部に対応して、一対の補助凹部が設けられ、前記一対の補助凹部は、前記一対の補助突部の前記複数の補助突状部に対応して、前記固定用プレートの長手方向に間隔をおいて配設された複数の補助凹状部から構成されており、
前記固定用プレートが前記基台本体部の上面に支持されると、前記基台本体部の前記連結突部と前記固定用プレートの前記連結凹部とが相互に連結されるとともに、前記基台本体部の前記一対の補助突部の前記複数の補助突状部と前記固定用プレートの前記一対の補助凹部の前記複数の補助凹状部とが相互に連結されることを特徴とする。
【００１６】
また、本発明の請求項８に記載の歯科技工用作業模型では、前記基台本体部の前記連結突部の内側面には、前記基台本体部の長手方向に沿って複数の凹状部が設けられ、また前記固定用プレートの前記連結凹部の外側面には、前記連結突部の前記複数の凹状部に対応して、前記固定用プレートの長手方向に沿って複数の突状部が設けられていることを特徴とする。
【００１７】
また、本発明の請求項９に記載の歯科技工用作業模型は、歯形模型が固定される固定用プレートと、前記固定用プレートを支持するための基台本体部を有する支持基台と、を備えた歯科技工用作業模型において、
前記基台本体部の上面には、その両側部に連結突部が設けられ、前記連結突部は、上方に突出しているとともに、前記基台本体部の長手方向に延びており、
前記固定用プレートの下面には、前記基台本体部の前記連結突部に対応して、連結凹部が設けられ、前記連結凹部は、上方に延びているとともに、前記固定用プレートの長手方向に延びており、
前記基台本体部の前記連結突部の内側面には、前記基台本体部の長手方向に沿って複数の凹状部が設けられ、また前記固定用プレートの前記連結凹部の外側面には、前記連結突部の前記複数の凹状部に対応して、前記固定用プレートの長手方向に沿って複数の突状部が設けられており、
また、前記基台本体部の上面には、前記連結突部の間に補助突部が設けられ、前記補助突部は、前記基台本体部の長手方向に間隔をおいて配設された複数の補助突状部から構成され、また前記固定用プレートの下面には、前記基台本体部の前記補助突部に対応して、補助凹部が設けられ、前記補助凹部は、前記補助突部の前記複数の補助突状部に対応して、前記固定用プレートの長手方向に間隔をおいて配設された複数の補助凹状部から構成されており、
前記固定用プレートが前記基台本体部の上面に支持されると、前記基台本体部の前記連結突部と前記固定用プレートの前記連結凹部とが相互に連結されるとともに、前記連結突部の前記複数の凹状部と前記連結凹部の前記複数の突状部とが相互に連結され、更に前記基台本体部の前記補助突部の前記複数の補助突状部と前記固定用プレートの前記補助凹部の前記複数の補助凹状部とが相互に連結されることを特徴とする。
【００１８】
また、本発明の請求項１０に記載の歯科技工用作業模型では、前記補助突部の前記複数の補助突状部の各々の長さは、２〜５ｍｍであり、前記複数の補助突状部は、３〜７ｍｍのピッチ間隔で配置されていることを特徴とする。
【００１９】
また、本発明の請求項請求項１１に記載の歯科技工用作業模型の支持基台は、歯形模型を切断するために使用する歯科技工用作業模型に用いる支持基台において、
基台本体部の上面には、その両側部に第１連結突部が設けられ、前記第１連結突部の間に第２連結突部が設けられ、前記第１及び第２連結突部は、上方に突出しているとともに、前記基台本体部の長手方向に延び、前記第１連結突部の内側面には、前記基台本体部の長手方向に沿って複数の第１凹状部が設けられ、また前記第２連結突部の両側面には、前記基台本体部の長手方向に沿って複数の第２凹状部が設けられていることを特徴とする。
【００２０】
また、本発明の請求項１２に記載の歯科技工用作業模型の支持基台は、歯形模型を切断するために使用する歯科技工用作業模型に用いる支持基台において、
基台本体部の上面には、その両側部に連結突部が設けられ、前記連結突部は、上方に突出しているとともに、前記支持基台の長手方向に延び、前記基台本体部の上面には、更に、前記連結突部の間に一対の補助突部が設けられ、前記一対の補助突部は、前記基台本体部の長手方向に間隔をおいて配設された複数の補助突状部から構成されていることを特徴とする。
【００２１】
更に、本発明の請求項１３に記載の歯科技工用作業模型の支持基台は、歯形模型を切断するために使用する歯科技工用作業模型に用いる支持基台において、
基台本体部の上面には、その両側部に連結突部が設けられ、前記連結突部は、上方に突出しているとともに、前記基台本体部の長手方向に延び、前記基台本体部の前記連結突部の内側面には、前記基台本体部の長手方向に沿って複数の凹状部が設けられ、更に前記基台本体部の上面には、前記連結突部の間に補助突部が設けられ、前記補助突部は、前記基台本体部の長手方向に間隔をおいて配設された複数の補助突状部から構成されていることを特徴とする。
【発明の効果】
【００２２】
本発明の請求項１に記載の歯科技工用作業模型によれば、支持基台の基台本体部の上面に一対の第１連結突部が設けられ、また第１連結突部の間に第２連結突部が設けられ、更に固定用プレートの下面に一対の第１連結凹部が設けられ、また第２連結突部に対応して、第２連結凹部が設けられているので、固定用プレートを基台本体部に支持すると、支持基台の第１及び第２連結突部と固定用プレートの第１及び第２連結凹部とが相互に連結され、これによって、ダウエルピンを使用することなく、固定用プレートを基台本体部に確実に支持することができる。また、基台本体部の一対の第１連結突部の内側面に複数の第１凹状部が設けられ、また固定用プレートの第１連結凹部の外側面に複数の第１突状部が設けられ、更に基台本体部の第２連結突部の両側面に複数の第２凹状部が設けられ、また固定用プレートの第２連結凹部の両側面に複数の第２凸状部が設けられているので、固定用プレートを支持基台に支持すると、基台本体部の第１及び第２連結突部の第１及び第２凹状部と固定用プレートの第１及び第２連結凹部の第１及び第２凸状部とが相互に連結され、これによって、歯形模型を固定してこの歯形模型とともに固定用プレートを切断した際に、切断した歯形模型及び固定用プレートを安定して支持するとこができ、その結果、歯形模型に一致したきれいな歯形を製作することができる。
【００２３】
また、本発明の請求項２に記載の歯科技工用作業模型によれば、支持基台の基台本体部の第１連結突部の内側面は、内側に向けて下方に傾斜する第１内傾斜側面を有し、複数の第１凹状部は、この第１内傾斜側面に設けられ、また固定用プレートの第１連結凹部の外側面は、内側に向けて下方に傾斜する第１外傾斜側面を有し、複数の第１凸状部は、この第１外傾斜側面に設けられているので、支持基台と固定用プレートとの相互連結を容易に且つ確実に行うことができ、また歯形模型を固定してこの歯形模型とともに固定用プレートを切断した際に、切断した歯形模型及び固定用プレートを安定して支持するとこができる。
【００２４】
また、本発明の請求項３に記載の歯科技工用作業模型によれば、支持基台の基台本体部の第２連結突部の両側面は、外側に向けて下方に傾斜する第２外傾斜側面を有し、複数の第２凹状部は、この第２外傾斜側面に設けられ、また固定用プレートの第２連結凹部の両側面は、外側に向けて下方に傾斜する第２内傾斜側面を有し、複数の第２凸状部は、この第２内傾斜側面に設けられているので、支持基台と固定用プレートとの相互連結を一層容易に且つ確実に行うことができ、また歯形模型を固定してこの歯形模型とともに固定用プレートを切断した際に、切断した歯形模型及び固定用プレートを一層安定的に支持するとこができる。
【００２５】
また、本発明の請求項４に記載の歯科技工用作業模型によれば、第２連結突部の第２外傾斜側面の傾斜角度及び第２連結凹部の第２内傾斜角度が２０〜４５°であるので、支持基台と固定用プレートとの連結をスムースに且つ確実に行うことができる。
【００２６】
また、本発明の請求項５に記載の歯科技工用作業模型によれば、第１及び第２連結突部の高さが３〜１０ｍｍであるので、これら連結突部の高さを充分に確保することができ、ダウエルピンを使用ことなく、支持基台及び固定用プレートを所要の通りに連結することができる。
【００２７】
また、本発明の請求項６に記載の歯科技工用作業模型によれば、支持基台の基台本体部の一方の第１連結突部の内側面に設けられた複数の第１凹状部と、基台本体部の第２連結突部の一方の外側面に設けられた複数の第２凹状部とは、基台本体部の長手方向にずれて配置され、また基台本体部の他方の第１連結突部の内側面に設けられた複数の第１凹状部と、基台本体部の第２連結突部の他方の外側面に設けられた複数の第２凹状部とは、基台本体部の長手方向にずれて配置されているので、歯形模型を固定してこの歯形模型とともに固定用プレートを切断した際に、複数の第１凹状部と複数の第２凹状部とを揃った状態で切断することがなく、その結果、切断した歯形模型及び固定用プレートを安定して支持するとこができる。
【００２８】
また、本発明の請求項７に記載の歯科技工用作業模型によれば、支持基台の基台本体部の両側部に連結突部が設けられ、固定用プレートに連結凹部が設けられているので、固定用プレートを基台本体部に支持すると、基台本体部の連結突部と固定用プレートの連結凹部とが相互に連結され、これによって、固定用プレートを基台本体部に支持することができる。また、基台本体部には、連結突部の間に一対の補助突部が設けられ、一対の補助突部は、この基台本体部の長手方向に間隔をおいて配設された複数の補助突状部から構成され、また固定用プレートには、一対の補助凹部が設けられ、一対の補助凹部は、固定用プレートの長手方向に間隔をおいて配設された複数の補助凹状部から構成されているので、固定用プレートを支持基台に支持すると、基台本体部の一対の補助突部の複数の補助突状部と固定用プレートの一対の補助凹部の複数の補助凹状部とが相互に連結され、これによって、ダウエルピンを使用することなく、基台本体部と固定用プレートとを容易に且つ確実に支持することができ、更に、歯形模型を固定してこの歯形模型とともに固定用プレートを切断した際に、切断した歯形模型及び固定用プレートを安定して支持するとこができる。
【００２９】
また、本発明の請求項８に記載の歯科技工用作業模型によれば、支持基台の基台本体部の連結突部の内側面には、複数の凹状部が設けられ、また固定用プレートの連結凹部の外側面には、複数の突状部が設けられているので、基台本体部と固定用プレートとの連結をスムースに且つ確実に行うことができる。
【００３０】
また、本発明の請求項９に記載の歯科技工用作業模型によれば、基台本体部の上面には、その両側部に連結突部が設けられ、固定用プレートの下面には連結凹部が設けられているので、固定用プレートを基台本体部の上面に支持すると、基台本体部の連結突部と固定用プレートの連結凹部とが相互に連結され、これによって、固定用プレートを基台本体部に支持することができる。また、基台本体部の連結突部の内側面には複数の凹状部が設けられ、固定用プレートの連結凹部の外側面には複数の突状部が設けられ、加えて基台本体部の上面の連結突部の間に補助突部が設けられ、この補助突部は複数の補助突状部から構成され、また固定用プレートの下面には補助凹部が設けられ、この補助凹部は複数の補助凹状部から構成されているので、固定用プレートを基台本体部の上面に支持すると、基台本体部の連結突部の複数の凹状部と固定用プレートの連結凹部の複数の突状部とが相互に連結され、更に基台本体部の補助突部の複数の補助突状部と固定用プレートの補助凹部の複数の補助凹状部とが相互に連結され、これによって、ダウエルピンを用いることなく、固定用プレートを基台本体部に確実に支持することができる。
【００３１】
また、本発明の請求項１０に記載の歯科技工用作業模型によれば、基台本体部の複数の補助突部の長さは、２〜５ｍｍであり、それらのピッチ間隔は、３〜７ｍｍであるので、歯形模型を固定してこの歯形模型とともに固定用プレートを切断した際に、切断した歯形模型及び固定用プレートを一層安定して支持するとこができる。
【００３２】
また、本発明の請求項１１に記載の歯科技工用作業模型の支持基台によれば、支持基台に関する基本的構成が、請求項１に記載の歯科技工用作業模型における支持基台と実質上同一であるので、上述の請求項１と同様の効果を奏する。
【００３３】
また、本発明の請求項１２に記載の歯科技工用作業模型の支持基台によれば、支持基台に関する基本的構成が、請求項７に記載の歯科技工用作業模型における支持基台と実質上同一であるので、上述の請求項７と同様の効果を奏する。
【００３４】
更に、本発明の請求項１３に記載の歯科技工用作業模型の支持基台によれば、支持基台に関する構成が、請求項９に記載の歯科技工用作業模型における支持基台と実質上同一であるので、上述の請求項９と同様の効果を奏する。
【図面の簡単な説明】
【００３５】
【図１】本発明に従う歯科技工用作業模型の第１の実施形態を示す斜視図。
【図２】図１の歯科技工用作業模型の支持基台と固定用プレートを連結する前の状態で示す斜視図。
【図３】図１の歯科技工用作業模型における支持基台の一部を拡大して示す部分拡大斜視図。
【図４】図１の歯科技工用作業模型における支持基台を示す平面図。
【図５】図１におけるＶ−Ｖ線による右側から見た断面図。
【図６】支持基台の上部に成型用の枠部材を装着した状態を右側から見た示す断面図。
【図７】本発明に従う歯科技工用作業模型の第２の実施形態における支持基台の一部を拡大して示す部分拡大斜視図。
【図８】本発明に従う歯科技工用作業模型の第３の実施形態における支持基台の一部を拡大して示す部分拡大斜視図。
【図９】本発明に従う歯科技工用作業模型の第４の実施形態における支持基台を示す平面図。
【図１０】本発明に従う歯科技工用作業模型の第５の実施形態における支持基台を示す平面図。
【図１１】本発明に従う歯科技工用作業模型の第６の実施形態における支持基台を示す平面図。
【図１２】本発明に従う歯科技工用作業模型の第７の実施形態における支持基台を示す平面図。
【発明を実施するための形態】
【００３６】
以下、添付図面を参照して、本発明に従う歯科技工用作業模型及びこれに用いる支持基台の各種実施形態について説明する。
〔第１の実施形態〕
まず、図１〜図６を参照して、第１の実施形態の歯科技工用作業模型及びこれに用いる支持基台について説明する。
【００３７】
図１、図２、図４及び図５において、図示の歯科技工用作業模型２は、歯形模型４が固定される固定用プレート６と、この固定用プレート６を支持する支持基台８と、を備えている。支持基台８は、固定用プレート６を後述する如く支持するための基台本体部１０を備え、この基台本体部１０は、例えばポリエチレン樹脂、ポリプロピレン樹脂、ナイロン樹脂、ウレタン樹脂などの合成樹脂から形成される。この基台本体部１０は、横方向（図１及び図２において略左右方向、図４において左右方向、図５において紙面に垂直な方向）に細長い略楕円状であり、周側壁１２と、この周側壁１２の上面を覆う上壁１４とを有し、下面が開放されている。
【００３８】
この上壁１４の上面（即ち、基台本体部１０の上面）の両側部には、一対の第１連結突部１６，１８が設けられている。一対の第１連結突部１６，１８は、上方に突出するとともに基台本体部８の長手方向（即ち、上記横方向）に沿って略直線状に延びている。尚、上壁１４の略半円状の両端部においては、連結突部１６，１８は設けられていない。
【００３９】
一方の第１連結突部１６（図１及び図２において手前側、図４において下側、図５において左側の連結突部）の内側面には、内側に向けて下方に傾斜する第１内傾斜側面２０が設けられ、また他方の第１連結突部１８（図１及び図２において背面側、図４において上側、図５において右側の連結突部）の内側面には、内側に向けて下方に傾斜する第１内傾斜側面２２が設けられている。これら第１内傾斜側面２０，２２の傾斜角度θ１（図５参照）（即ち、垂直な基準線Ｌを基準にして下方に傾斜する角度）は、例えば２０〜４５°にするのが望ましく、このような傾斜角度θ１にすることによって、第１連結突部１６，１８の高さを充分に確保することができるとともに、支持基台８と固定用プレート６との後述する連結をスムースに行うことができる。
【００４０】
この形態では、第１内傾斜側面２０，２２は、一対の第１連結突部１６，１８の全高にわたって設けられているが、一対の第１連結突部１６，１８の内側面における下部又は上部にのみ設けるようにしてもよい。また、第１内傾斜側面２０，２２は、一対の第１連結突部１６，１８の両端部を除くほぼ全長にわたって設けられている（図３参照）が、一対の第１連結突部１６，１８の全長にわたって設けるようにしてもよい。
【００４１】
一対の第１連結突部１６，１８の第１内傾斜側面２０，２２には、複数の第１凹状部２４，２６が設けられ、これら第１凹状部２４，２６は、一対の第１連結突部１６，１８の長手方向（即ち、上記横方向であって、支持基台８の長手方向）に実質上等間隔をおいて設けられている。この形態では、図３に示すように、複数の第１凹状部２４，２６は略円錐状であり、第１内傾斜側面２０，２２の下端部（即ち、上壁１４の上面）に近づくに従ってその深さが深くなるように構成されている。第１凹状部２４，２６は、上述した形状に限定されず、三角錐状などの適宜の形状でよい。
【００４２】
この形態では、上壁１４の上面（即ち、基台本体部１０の上面）には、一対の連結突部１６，１８の間に、第２連結突部２８が設けられ、かかる第２連結突部２８は、一対の第１連結突部１６，１８と略平行に延びている。この第２連結突部２８は、一対の連結突部１６，１８と実質上等しい長さでよいが、これらよりも幾分長くてもよく、或いは幾分短くてもよい。また、この第２連結突部２８の高さＨ２（図５参照）は、一対の第１連結突部１６，１８の高さＨ１（図５参照）と実質上等しく、それらの高さＨ１，Ｈ２は、例えば３〜１０ｍｍにすることができる。尚、この第２連結突部２８は、一対の第１連結突部１６，１８よりも幾分低く、例えば０．３〜１ｍｍ程度低くするようにしてもよい。
【００４３】
この第２連結突部２８の片側面（一方の第１連結突部１６と対向する側面）には、第２外傾斜側面３０が設けられ、この第２外傾斜側面３０は、外側（図４において下側、図５において左側）に向けて下方に傾斜している。また、第２連結突部２８の他側面（他方の第１連結突部１８と対向する側面）には、第２外傾斜側面３２が設けられ、この第２外傾斜側面３２は、外側（図４において上側、図５において右側）に向けて下方に傾斜している。第２外傾斜側面３０，３２は、第２連結突部２８の実質上全長にわたって設けられ、それらの傾斜角度θ２（図５参照）（即ち、垂直な基準線Ｌを基準にして下方に傾斜する角度）は、第１内傾斜側面２０，２２の傾斜角度θ１と等しく、例えば２０〜４５°にすることができ、このような傾斜角度θ２にすることによって、第２連結突部２８の高さを充分に確保することができるとともに、支持基台８と固定用プレート６との後述する連結をスムースに行うことができる。
【００４４】
この形態では、第２外傾斜側面３０，３２は、一対の第１連結突部１６，１８の第１内傾斜側面２０，２２に対応して、第２連結突部２８の全高にわたって設けられているが、これら第１内傾斜側面２０，２２の高さに対応して、第２連結突部２８の両側面における下部又は上部にのみ設けるようにしてもよい。
【００４５】
第２連結突部２８の第２外傾斜側面３０，３２には、複数の第２凹状部３４，３６が設けられ、これら第２凹状部３４，３６は、第２連結突部２８の長手方向（即ち、上記横方向であって、基台本体部１０の長手方向）に実質上等間隔をおいて設けられている。これら第２凹状部３４，３６は、第１連結突部１６，１８の第１凹状部２４，２６と同様に、略円錐状に形成され、第２外傾斜側面３０，３２の下端部（即ち、上壁１４の上面）に近づくに従ってその深さが深くなるように構成されている。これら第２凹状部３４，３６は、上述の第１凹状部２４，２６と同様に、三角錐状などの適宜の形状でよい。
【００４６】
一方の第１連結突部１６の第１内傾斜側面２０の第１凹状部２４と第２連結突部２８の一方の第２外傾斜側面３０の第２凹状部３４とは、上記長手方向（上記横方向）に整合するように配置することもできるが、上記長手方向にずれるように例えば千鳥状に配置するのが望ましい。また、他方の第１連結突部１８の第１内傾斜側面２２の第１凹状部２６と第２連結突部２８の他方の第２外傾斜側面３２の第２凹状部３６とは、上記長手方向（上記横方向）に整合するように配置することもできるが、上記長手方向にずれるように例えば千鳥状に配置することもできる。尚、一方の第１連結突部１６の第１内傾斜側面２０の第１凹状部２４と第２連結突部２８の一方の第２外傾斜側面３０の第２凹状部３４とは、上記長手方向（上記横方向）に整合するように配置し、また他方の第１連結突部１８の第１内傾斜側面２２の第１凹状部２６と第２連結突部２８の他方の第２外傾斜側面３２の第２凹状部３６とは、上記長手方向に整合するように配置し、第１連結突部１６の第１内傾斜側面２０の第１凹状部２４及び第２連結突部２８の第２外傾斜側面３０の第２凹状部３４と他方の第１連結突部１８の第１内傾斜側面２２の第１凹状部２６及び第２連結突部２８の第２外傾斜側面３２の第２凹状部３６とが上記長手方向にずれるように例えば千鳥状に配置するようにしてもよい。
【００４７】
この実施形態では、周側壁１２の外周面に、複数の位置決め突部３８，４０が設けられている。支持基台８の片側（手前側）においては、位置決め突部３８が周側壁１２の片側面に間隔をおいて三つ設けられ、その他側（背面側）においては、位置決め突部４０が周側壁１２の他側面に間隔をおいて三つ設けられている。これら位置決め突部４０は、適宜の個数設けることができる。
【００４８】
次に、固定用プレート６について説明すると、この固定用プレート６は石膏から形成され、基台本体部１０の上壁１４の形状に対応した細長い略楕円状の形状を有している。この固定用プレート６の両側部には、支持基台８の両側部の第１連結突部１６，１８に対応して、その両側部に第１連結凹部４０，４２が設けられている。一対の第１連結凹部４０，４２は、上方に延びているともに、この固定用プレート６の長手方向（図２において略左右方向、図５に於いて紙面に垂直な方向）に延びている。
【００４９】
第１連結凹部４０，４２には、第１連結突部１６，１８の第１内傾斜側面２０，２２に対応して、第１外傾斜側面４４，４６が設けられている。一方の第１連結凹部４０の第１外傾斜側面４４は、内側（図５において右側）に向けて下方に傾斜し、他方の第１連結凹部４２の第１外傾斜側面４６は、内側（図５において左側）に向けて下方に傾斜しており、これら第１外傾斜側面４４，４６の傾斜角度（垂直な軸線を基準にして下方に傾斜する角度）は、第１連結突部１６，１８の第１内傾斜側面２０，２２の傾斜角度θ１に対応して、例えば２０〜４５°であるのが望ましい。
【００５０】
固定用プレート６の一対の第１連結凹部４０，４２の第１外傾斜側面４４，４６には、基台本体部１０側の一対の第１連結突部１６，１８の複数の第１凹状部２４，２６に対応して、複数の第１凸状部４８，５０が設けられ、これら第１凸状部４８，５０は、第１連結凹部４０，４２の長手方向に実質上等間隔をおいて設けられている。この形態では、複数の第１凸状部４８，５０は略円錐状であり、第１外傾斜側面４４，４６の下端部（即ち、上壁１４の上面）に近づくに従ってその突出量が大きくなるように構成されている。このように構成することによって、支持基台８の上面１４に近づくに従い第１連結凹部４０，４２の第１凸状部４８，５０と第１連結突部１６，１８の第１凹状部２４，２６との係合量が大きくなり、従って、支持基台８に固定用プレート６を載置支持した際に、第１凸状部４８，５０と第１凹状部２４，２６とをより強く係合させることができる。
【００５１】
この形態では、固定用プレート６の下面には、支持基台８の第２連結突部２８に対応して、一対の第１連結凹部４０，４２の間に第２連結凹部５２が設けられている。この第２連結凹部５２の片側面（一方の第１連結突部１６と対向する側面）には、第２連結突部２８の一方の第２外傾斜側面３０に対応して、第２内傾斜側面５４が設けられ、この第２内傾斜側面５４は、外側（図５において左側）に向けて下方に傾斜している。また、第２連結凹部５２の他側面（他方の第１連結突部１８と対向する側面）には、第２連結突部２８の他方の第２外傾斜側面３０に対応して、第２内傾斜側面５６が設けられ、この第２内傾斜側面５６は、外側（図５において左側）に向けて下方に傾斜している。
【００５２】
第２連結凹部５２の第２内傾斜側面５４，５６には、基台本体部１０側の第２連結突部２８の一対の第２外傾斜側面３０，３２の第２凹状部３４，３６に対応して、複数の第２凸状部５８，６０が設けられている。これら第２凸状部５８，６０は、第２連結凹部５２の長手方向に実質上等間隔をおいて設けられている。これら第２凸状部５８，６０は、また、第１外傾斜側面４４，４６の第１凸状部４８，５０と同様に、略円錐状に形成され、第２内傾斜側面５４，５６の下端部に近づくに従ってその突出量が大きくなるように構成されている。このように構成することによって、基台本体部１０の上壁１４に近づくに従い第２連結凹部５２の第２凸状部５８，６０と第２連結突部２８の第２凹状部３４，３６との係合量が大きくなり、従って、支持基台８に固定用プレート６を載置支持した際に、第２凸状部５８，６０と第２凹状部３４，３６とをより強く係合させることができる。
【００５３】
この固定用プレート６の上面には、石膏から形成された歯形模型４（本実施形態では、部分タイプのもの）が、例えば接着剤を用いて固定される。この固定用プレート６は、基台本体部１０側の一対の第１連結突部１６，１８と固定用プレート６側の第１連結凹部４０，４２とを係合させるとともに、基台本体部１０側の第２連結突部２８と固定用プレート６側の第２連結凹部５２とを係合させることにより、固定用プレート６が基台本体部１０の上面に着脱自在に支持される。この支持状態では、上述した記載から理解される如く、基台本体部１０側の第１連結突部１６，１８の第１凹状部２４，２６と固定用プレート６側の第１連結凹部４０，４２の第１凸状部４８，５０とが係合し、また基台本体部１０側の第２連結突部２８側の第２凹状部３４，３６と固定用プレート６側の第２凸状部５８，６０とが係合する。
【００５４】
次に、図６を参照して、上述した歯科技工用作業模型２の製造方法について説明する。例えば、合成樹脂による射出成型により支持基台８を製作する（支持基台成型工程）。そして、図６に示すように、支持基台８の上部に成型用枠部材７２を着脱自在に装着する（枠装着工程）。
【００５５】
ここで、枠装着工程で用いる成型用枠部材７２について説明すると、成型用枠部材７２は、全体として略矩形状の外形を有し、例えばシリコンゴムや合成ゴムなどのゴム材料から形成されている。成型用枠部材７２の内側には上下方向に貫通する貫通口７４が設けられ、この貫通口７４は、支持基台８の上部の形状に対応した形状を有している。
【００５６】
この成型用枠部材７２を支持基台８の上部に装着すると、図６に示すように、支持基台８の上壁１４及び周側壁１２の上部が成型用枠部材７４貫通口７４の下部内に挿入され、成型用枠部材７２の内周面が支持基台８の周側壁１２の外周面に密着し、このようにして支持基台８の上面及び成型用枠部材７２の内周面によって、石膏を溜める溜め空間７６が規定される。このとき、成型用枠部材７２の下端部が支持基台８の複数の位置決め用突部３８，４０に当接支持され、これによって、成型用枠部材７２が支持基台８に対して所定位置に位置決めされる。この装着状態では、成型用枠部材７２の上端部は、支持基台８の上面から上方に所定高さ、例えば２０〜３０ｍｍ程度突出する。
【００５７】
その後に、図６に一点鎖線Ｐで示すように、この溜め空間７６に固定用プレート６を成型するための石膏をに注入する（プレート成型工程）。この石膏は、成型後の固定用プレート６の厚さが８〜１５ｍｍ程度となるように、例えば一点鎖線Ｐで示すレベルまで注入される。このとき、支持基台８の上壁１４の両端部には連結用突部が設けられていないので、注入した石膏が第２連結突部２８に沿って上壁１４の両端部に流れるようになり、これによって、石膏を上壁１４の全域にほぼ均一に注入することができる。注入した石膏が硬化することにより、一対の第１連結用凹部４０，４２及び第２連結凹部５２が形成された固定用プレート６が成型される。
【００５８】
その後、成型用枠部材７２を支持基台８から取り外し、成型した固定用プレート６の上面に例えば研削加工を施して平坦となるように加工する（研削加工工程）。この研削加工は、固定用プレート６を支持基台８の基台本体部１０に支持させた状態で行い、固定用プレート６が所定厚さになるまで行う。
【００５９】
この支持基台８の製作とは別に、歯型（図示せず）に石膏を流し込んで歯形模型４を製作する。そして、研削加工を施した固定用プレート６の上面に歯形模型４を接着剤などを用いて固定し（歯形模型固定工程）、このようにして図１及び図２に示す作業模型２を製作することができる。
【００６０】
その後、固定用プレート６を基台本体部１０の上面に支持させた状態で、図１に一点鎖線で示す切断線８２に沿って歯形模型４の所定部位を固定用プレート６とともに切断工具（図示せず）を用いて切断する（切断工程）。このとき、固定用プレート６を切断することによって、支持基台８の一対の第１連結用突部１６，１８及び第２連結用突部２８に切断工具による切込みが入るようになる。このように切断することによって、歯形模型４の切断した部位を固定用プレート６とともに残りの部位から取り出すことができる。この切断の際には、ダウエルピンが存在しないので、歯形模型４の任意に個所にて切断することが可能となり、この切断作業が非常に容易となる。
【００６１】
この切断した歯形模型４を用いた所要の作業（例えば、歯冠補綴物の製作など）は、切断した固定用プレート６を支持基台８の上面に支持させた状態で行われる。本実施形態の歯科技工用作業模型２では、上述のように基台本体部１０側の一対の第１連結用突部１６，１８及び第２連結突部２８と固定用プレート６側の一対の第１連結凹部４０，４２及び第２連結凹部５２とがそれぞれ相互に連結され、加えて一対の第１連結突部１６，１８の第１凹状部２４，２６及び第２連結突部２８の第２凹状部３４，３６と第１連結凹部４０，４２の第１凸状部４８，５０及び第２連結凹部５２の第２凸状部５８，６０とがそれぞれ相互に連結されるので、固定用プレート６と支持基台８との水平方向の連結強度を高めることができ、切断した固定用プレート６の支持基台８に対する回転やぐらつきなどを確実に防止することがで、所要の作業を正確に行うことができる。
【００６２】
また、固定用プレート６を支持基台８（基台本体部１０）に支持した状態においては、基台本体部１０側の一対の連結突部１６，１８の第１内傾斜側面２０，２２及び第２連結突部２８の第２外傾斜側面３０，３２と一対の第１連結凹部４０，４２の第１外傾斜側面４４，４６及び第２連結凹部５２の第２内傾斜側面５４，５６とが当接した状態となるので、固定用プレート６と基台本体部１０との鉛直方向の連結強度が比較的低くなり、固定用プレート６の基台本体部１０に対する着脱を容易に行うことができる。
【００６３】
本実施形態では、模型固定工程において、固定用プレート６の上面に歯形模型４を接着剤などを用いて固定するようにしたが、成型前の固定用プレート６（即ち、硬化前の状態の石膏）に歯形模型４を押し付け、石膏の硬化により固定用プレート６の上面に歯形模型４を固定するようにしてもよい。
【００６４】
〔第２の実施形態〕
次に、図７を参照して、第２の実施形態の歯科技工用作業模型（及びその支持基台）について説明する。尚、以下に示す実施形態において、上述の第１の実施形態と実質上同一の部材には同一の符号を付し、その説明を省略する。
【００６５】
図７において、第２の実施形態の歯科技工用作業模型２Ａでは、支持基台８Ａの支持基台本体部１０Ａの上壁１４Ａには、その両側部に第１連結突部１６Ａ（図７においてそれらの一方のみを示すが、それらの他方も同一の構成である）が設けられ、この第１連結突部１６Ａは、基台本体部８Ａの長手方向に延びている。
【００６６】
支持基台８Ａ側の一対の第１連結突部１６Ａ（１８Ａ）の長手方向中間部（両端部を除く部分）においては、上述の第１の実施形態と同様に、それらの内側面に、内側に向けて下方に傾斜する第１内傾斜面２０（２２）が設けられている。また、一対の第１連結突部１６Ａ（１８Ａ）の両端部においては、その内側面に内側に突出する内突部９２（図７において一端部のみ示すが、他端部も同一の構成である）が設けられ、この内突部９２の先端は、鉛直方向に延びる鉛直面９４となっている。
【００６７】
この形態では、一対の第１連結突部１６Ａ（１８Ａ）の第１内傾斜側面２０（２２）に、上述した第１の実施形態と同様に、その長手方向に実質上等間隔をおいて複数の第１凹状部２４（２６）が設けられ、これら第１凹状部２４（２６）の構成は、上述したと同様の構成でよい。また、一対の連結突部１６Ａ（１８Ａ）の内突部９２には複数（この形態では２つ）の内凹状部９６が設けられ、内凹状部９６の内面も鉛直方向に延びる鉛直面となってる。この第２の実施形態における支持基台８Ａのその他の構成は、上述した第１の実施形態と実質上同一である。
【００６８】
このような支持基台８Ａと組み合わせて用いる固定用プレートは、図示していないが、図６に示すようにして製作されるので、固定用プレートの下面の形状は、支持基台８Ａ（基台本体部１０Ａ）の上面部と所要の通りに係合する形状となる。即ち、基台本体部１０Ａの第１連結突部１６Ａ（１８Ａ）に対応して、固定用プレートの下面の両側部に第１連結凹部が設けられ、一対の連結凹部の長手方向中間部（両端部を除く部分）の外側面に、第１連結突部１６Ａ（１８Ａ）の第１内傾斜面２０（２２）に対応して、第１外傾斜側面が設けられ、この第１外傾斜側面に、第１内傾斜側面２０（２２）の複数の第１凹状部２４（２６）に対応して、複数の第１凸状部が設けられる。また、第１連結突部１６Ａ（１８Ａ）の内突部９２に対応して、第１連結凹部の両端部に、内側に延びる内凹部が設けられ、この内凹部に、内突部９２の内凹状部９６に対応して、外側に突出する外凸状部が設けられる。この固定用プレートのその他の構成は、上述した第１の実施形態と実質上同一である。
【００６９】
この第２の実施形態の作業模型２Ａでは、第１連結突部１６Ａ（１８Ａ）の長手方向中間部では、基台本体部１０側の第１連結突部１６Ａ（１８Ａ）の第１内傾斜側面２０（２２）と固定用プレート側の第１連結凹部の第１外傾斜側面との係合となるので、鉛直方向の連結強度が比較的弱くなるのに対して、第１連結突部１６Ａ（１８Ａ）の長手方向両端部では、第１連結突部１６Ａ（１８Ａ）の内突部９２（鉛直面９４及び内凹状部９６の垂直面）と第１連結凹部の内凹部との係合となるので、基台本体部１０Ａとの鉛直方向の連結強度が比較的強くなる。尚、第１連結突部１６Ａ（１８Ａ）及び第１連結凹部に関する修正は、第２連結突部及び第２連結凹部にも同様に適用することができる。
【００７０】
一般的に、歯形模型（図示せず）を用いた所要の作業を行う際には、固定用プレートの長手方向中間部は、支持基台８Ａに対して着脱して使用するが、固定用プレートの長手方向両端部は、支持基台８Ａより取り外すことがほとんどなく、支持基台８Ａに支持させたままで使用する。この作業模型２Ａでは、上述のような構成により、固定用プレートの中間部における支持基台８Ａに対する着脱を容易に行うことができるとともに、固定用プレートの両端部における支持基台８Ａからの落下を抑制することができ、その結果、歯形模型を用いた所要の作業を効率良く行うことができる。
【００７１】
〔第３の実施形態〕
次に、図８を参照して、第３の実施形態の歯科技工用作業模型（及びその支持基台）について説明する。第３の実施形態の歯科技工用作業模型では、第１連結突部及びこれに関連する構成について修正が施されている。
【００７２】
図８において、この第３の実施形態においては、支持基台８Ｂの基台本体部１０Ｂの両側部に設けられた第１連結突部１６Ｂ（１８Ｂ）の両端部においては、内側に突出する内突部９２Ｂ（図９において一端部に設けられたもののみを示すが、その他端部も同様の構成である）が設けられ、この内突部９２の先端に、内側に向けて上方に傾斜する上傾斜面９４Ｂが設けられている。また、この内突部９２に設けられた内凹状部９６Ｂの内面も、内側に向けて上方に傾斜する上傾斜となっている。
【００７３】
第１連結突部１６Ｂ（１８Ｂ）のこのような構成に関連して、図示していないが、固定用プレートの第１連結凹部の両端部においては、内側に延びる内凹部が設けられ、この内凹部の内面に、内突部９２の上傾斜面９４Ｂに対応して、内側に向けて上方に傾斜する上傾斜面が設けられ、この内凹部に、内突部９２の内凹状部９６Ｂに対応して、外側に突出する外凸状部が設けられ、この外凸状部の外面に、内凹状部９６Ｂの上傾斜面に対応して、内側に向けて上方に傾斜する上傾斜面が設けられる。第３の実施形態におけるその他の構成は、上述した第２の実施形態と実質上同一である。
【００７４】
この第３の実施形態では、第１連結突部１６Ｂ（１８Ｂ）の両端部と第２連結凹部の両端部との係合状態が、上述した第２の実施形態のものよりもより強くなり、第２の実施形態と同様の作用効果を達成することができる。尚、この第３の実施形態においても、第１連結突部１６Ｂ（１８Ｂ）及び第１連結凹部に関する修正は、第２連結突部及び第２連結凹部にも同様に適用することができる。
【００７５】
〔第４の実施形態〕
次に、図９を参照して、第４の実施形態の歯科技工用作業模型（及びその支持基台）について説明する。この第４の実施形態においては、本発明を全顎タイプのものに適用している。
【００７６】
図９において、この第４の実施形態の歯科技工用作業模型２Ｃでは、歯形模型は上歯全体（又は下歯全体）のもの、即ち、全顎タイプのものが用いられる。これに関連して、支持基台８Ｃは、全体として略半円状であり、その基台本体部１０Ｃは、歯形模型の形状に対応して略Ｕ字の形状になっている。基台本体部１０Ｃの弧状側壁には、間隔をおいて位置決め用突部３８Ｃが設けられ、固定用プレートを製作する際に用いる成形用枠部材（図示せず）がこの位置決め用突部３８Ｃによって位置決めされる。
【００７７】
この第４の実施形態では、基台本体部１０Ｃの上壁１４Ｃの両側部に第１連結突部１６Ｃ，１８Ｃが設けられ、一対の第１連結突部１６Ｃ，１８Ｃは、基台本体部１０Ｃの略Ｕ字状の長手方向にそのほぼ全長にわたって延びている。また、この基台本体部１０Ｃの上壁１４Ｃの幅方向中間部（即ち、一対の第１連結突部１６Ｃ，１８Ｃの間）に第２連結突部２８Ｃが設けられ、この第２連結突部２８Ｃは、一対の第１連結突部１６Ｃ，１８Ｃに略平行に、基台本体部１０Ｃの略Ｕ字状の長手方向にそのほぼ全長にわたって延びている。一対の第１連結突部１６Ｃ，１８Ｃ及び第２連結突部２８Ｃは、上述した第１の実施形態における第１連結突部及び第２連結突部と同様に構成される。
【００７８】
このような支持基台８Ｃと組み合わされる固定用プレートは、図示していないが、図６に示すようにして製作されるので、固定用プレートの下面の形状は、支持基台８Ｃの基台本体部１０Ｃの上面部と所要の通りに係合する形状となる。即ち、基台本体部１０Ｃの第１連結突部１６Ｃ，１８Ｃに対応して、固定用プレートの下面の両側部に第１連結凹部が設けられ、またその幅方向中間部（即ち、一対の連結凹部の間）に、第２連結突部２８Ｃに対応して，第２連結凹部が設けられ、これら一対の第１連結凹部及び第２連結凹部は、上述した第１の実施形態における第１連結凹部及び第２連結凹部と同様に構成される。
【００７９】
この第４の実施形態においては、支持基台８Ｃの基台本体部１０Ｃの上面の構成（即ち、第１連結突部１６Ｃ，１８Ｃ及び第２連結突部２８Ｃに関する構成）及び固定用プレートの下面の構成（即ち、第１連結凹部及び第２連結凹部に関する構成）が上述した第１の実施形態と実質上同一であるので、この第１の実施形態と同様の作用効果が達成される。
【００８０】
〔第５の実施形態〕
次に、図１０を参照して、本発明に従う歯科技工用作業模型（及びその支持基台）の第５の実施形態について説明する。この第５の実施形態においては、支持基台側の第２連結突部に代えて、補助突部が設けられている。
【００８１】
図１０において、この第５の実施形態の支持基台８Ｄにおいては、基台本体部１０の上壁１４Ｄの両側部に連結突部１６Ｄ，１８Ｄが設けられ、これら連結突部１６Ｄ，１８Ｄが基台本体部１０Ｄの略Ｕ字状の長手方向にそのほぼ全長にわたって設けられている。この連結突部１６Ｄ，１８Ｄは、上述の第４の実施形態における第１連結突部と実質上同一の構成である。
【００８２】
基台本体部１０Ｄの上壁１４Ｄには、更に、一対の連結突部１６Ｄ，１８Ｄの間に補助突部１０２が設けられ、この補助突部１０２は、基台本体部１０Ｄの略Ｕ字状の長手方向に相互に平行に延びている。補助突部１０２は、複数の補助突状部１０６から構成され、複数の補助突状部１０６が基台本体部１０Ｄの長手方向に間隔をおいて配設され、この連結突部１６Ｄに略平行に配置されている。
【００８３】
これら補助突状部１０６については、それらの高さが一対の連結突部１６Ｄ，１８Ｄよりも低く、例えば０．３〜１ｍｍ程度に形成され、それらの長さＬが２〜５ｍｍ程度で、そのピッチ間隔Ｐが３〜７ｍｍ程度に設けられ、補助突部１０２の補助突状部１０６をこのようなものから構成することによって、上述した第２連結突部と同様の機能を持たせることができる。
【００８４】
このような支持基台８Ｄと組み合わされる固定用プレートは、図示していないが、図６に示すようにして製作されるので、固定用プレートの下面の形状は、支持基台８Ｄの基台本体部１０Ｄの上面部と所要の通りに係合する形状となる。即ち、基台本体部１０Ｄの連結突部１６Ｄ，１８Ｄに対応して、固定用プレートの下面の両側部に連結凹部が設けられ、一対の連結凹部は、第４の実施形態における第１連結凹部と実質上同一の構成である。
【００８５】
また、基台本体部１０Ｄの補助突部１０２に対応して、固定用プレートの一対の連結突部間に補助凹部が設けられる。この補助凹部は、補助突部１０２の複数の補助突状部１０６に対応して、複数の補助凹状部から構成され、かかる補助凹状部が固定用プレートの略Ｕ字状の長手方向に間隔をおいて配設される。
【００８６】
この第５の実施形態の作業模型では、支持基台２Ｄの基台本体部８Ｄに固定用プレート（図示せず）を支持すると、上述した記載から容易に理解される如く、基台本体部１０Ｄの一対の連結突部１６Ｄ，１８Ｄと固定用プレートの一対の連結凹部とが相互に連結されるとともに、基台本体部１０Ｄの補助突部１０２の複数の補助突状部１０６と固定用プレートの一対の補助凹部の複数の補助凹状部とが相互に係合する。
【００８７】
この支持状態において、固定用プレートに固定した歯形模型を切断して所要の作業を行う際には、上述した係合状態に保たれているので、固定用プレートと基台本体部１０Ｄとの水平方向の連結強度を高めることができ、また切断した固定用プレートの基台本体部１０Ｄに対する回転やぐらつきなどを確実に防止することができ、ダウエルピンを用いることなく所望の作業模型を製作することができる。
【００８８】
〔第６の実施形態〕
次に、図１１を参照して、本発明に従う歯科技工用作業模型（及びその支持基台）の第６の実施形態について説明する。この第６の実施形態においては、支持基台側の第２連結突部に代えて、一対の補助突部が設けられている。
【００８９】
図１１において、この第６の実施形態の支持基台８Ｅにおいては、基台本体部１０の上壁１４Ｅの両側部に連結突部１６Ｅ，１８Ｅが設けられ、これら連結突部１６Ｅ，１８Ｅが基台本体部１０Ｅの略Ｕ字状の長手方向にそのほぼ全長にわたって設けられている。この連結突部１６Ｅ，１８Ｅは、上述の第５の実施形態における連結突部と実質上同一の構成である。
【００９０】
基台本体部１０Ｅの上壁１４Ｅには、更に、一対の連結突部１６Ｅ，１８Ｅ間に一対の補助突部１０２Ｅ，１０４Ｅが設けられ、これら補助突部１０２Ｅ，１０４Ｅは、基台本体部１０Ｅの略Ｕ字状の長手方向に相互に平行に延びている。内側の連結突部１６Ｅに対向する一方の補助突部１０２Ｅは、複数の補助突状部１０６から構成され、複数の補助突状部１０６が基台本体部１０Ｅの長手方向に間隔をおいて配設され、この連結突部１６Ｅに略平行に配置されている。また、外側の第１連結突部１８Ｅに対向する他方の補助突部１０４Ｅは、複数の補助突状部１０８から構成され、複数の補助突状部１０８が基台本体部１０Ｅの略Ｕ字状の長手方向に間隔をおいて配設され、この連結突部１８Ｅに略平行に配置されている。
【００９１】
これら補助突状部１０６，１０８については、第５の実施形態のものと同様に、それらの長さＬが２〜５ｍｍで、そのピッチ間隔Ｐが３〜７ｍｍであるのが好ましく、このような一対の補助突部１０２Ｅ，１０４Ｅを設けることによって、基台本体部１０Ｅと固定用プレートとの連結強度をより高めることができる。
【００９２】
このような支持基台８Ｅと組み合わされる固定用プレートは、図示していないが、図６に示すようにして製作されるので、固定用プレートの下面の形状は、支持基台８Ｅの基台本体部１０Ｅの上面部と所要の通りに係合する形状となる。即ち、基台本体部１０Ｅの連結突部１６Ｅ，１８Ｅに対応して、固定用プレートの下面の両側部に連結凹部が設けられ、一対の連結凹部は、第５の実施形態における連結凹部と実質上同一の構成である。
【００９３】
また、基台本体部１０Ｅの一対の補助突部１０２Ｅ，１０４Ｅに対応して、固定用プレートの一対の連結突部間に一対の補助凹部が相互に平行に設けられる。一対の補助凹部は、一対の補助突部１０２Ｅ，１０４Ｅの複数の補助突状部１０６，１０８に対応して、複数の補助凹状部から構成され、かかる補助凹状部が固定用プレートの略Ｕ字状の長手方向に間隔をおいて配設される。
【００９４】
この第５の実施形態の作業模型では、支持基台２Ｅの基台本体部８Ｅに固定用プレート（図示せず）を支持すると、上述した記載から容易に理解される如く、基台本体部１０Ｅの一対の連結突部１６Ｅ，１８Ｅと固定用プレートの一対の連結凹部とが相互に連結されるとともに、基台本体部１０Ｅの一対の補助突部１０２Ｅ，１０４Ｅの複数の補助突状部１０６，１０８と固定用プレートの一対の補助凹部の複数の補助凹状部とが相互に係合し、このような係合状態に保たれることにより、固定用プレートと基台本体部１０Ｅとの水平方向の連結強度をより高めることができる。
【００９５】
〔第７の実施形態〕
次に、図１２を参照して、本発明に従う歯科技工用作業模型（及びその支持基台）の第７の実施形態について説明する。この第７の実施形態においては、本発明を部分タイプのものに適用するとともに、支持基台側の連結突部について修正が施されている。
【００９６】
図１２において、この支持基台８Ｆの基台本体部１０Ｆの両側部には、上方に突出する連結突部１６Ｆ，１８Ｆが設けられ、一対の連結突部１６Ｆ，１８Ｆが基台本体部１０Ｆの長手方向に延びている。かかる連結突部１６Ｆ，１８Ｆは断面矩形状であり、上述した第１実施形態の第１連結突部における内傾斜面及び凹状部を省略した形態となっている。
【００９７】
また、支持本体部１０Ｆの一対の連結突部１６Ｆ，１８Ｆの間に、第６の実施形態と同様に、一対の補助突部１０２Ｆ，１０４Ｆが設けられ、これら補助突部１０２Ｆ，１０４Ｆは、基台本体部１６Ｆの長手方向（図１２において左右方向）に間隔をおいて配設された複数の補助突状部１０６Ｆ，１０８Ｆから構成されている。補助突部１０２Ｆ，１０４Ｆの補助突状部１０６Ｆ，１０８Ｆは、第６の実施形態における補助突状部と同様の構成である。尚、この形態では、成形用枠部材（図示せず）を位置決めするための位置決め突部３８Ｆ，４０Ｆは、基台本体部１０Ｆの長手方向に細長く設けられている。
【００９８】
このような支持基台８Ｆと組み合わされる固定用プレートは、図示していないが、図６に示すようにして製作されるので、固定用プレートの下面の形状は、支持基台８Ｆの基台本体部１０Ｆの上面部と所要の通りに係合する形状となる。即ち、基台本体部１０Ｆの連結突部１６Ｆ，１８Ｆに対応して、固定用プレートの下面の両側部に連結凹部が設けられる。かかる連結凹部は、係合される連結突部の形状に対応して断面矩形状であり、上述した第１実施形態第１連結凹部における外傾斜面及び凸状部を省略した形態である。
【００９９】
また、基台本体部１０Ｆの一対の補助突部１０２Ｆ，１０４Ｆに対応して、固定用プレートの一対の連結突部間に一対の補助凹部が相互に平行に設けられ、一対の補助凹部は、一対の補助突部１０２Ｆ，１０４Ｆの複数の補助突状部１０６Ｆ，１０８Ｆに対応して、複数の補助凹状部から構成され、かかる補助凹状部が固定用プレートの長手方向に間隔をおいて配設される。これら補助突部１０２Ｆ，１０４Ｆの補助突状部１０６Ｆ，１０８Ｆ及び補助凹部の補助凹状部は、第６の実施形態における補助突状部及び補助凹状部と同様の構成である。
【０１００】
この第７の実施形態の作業模型では、基台本体部８Ｆに固定用プレート（図示せず）を支持すると、基台本体部１０Ｆの一対の連結突部１６Ｆ，１８Ｆと固定用プレートの一対の連結凹部とが相互に係合されるとともに、基台本体部１０Ｆの一対の補助突部１０２Ｆ，１０４Ｆの複数の補助突状部１０６Ｆ，１０８Ｆと固定用プレートの一対の補助凹部の複数の補助凹状部とが相互に係合されるので、第６の実施形態と略同様の効果が達成される。
【０１０１】
以上、本発明に従う歯科技工用作業模型（及びその支持基台）の各種実施形態について説明したが、本発明はかかる実施形態に限定されるものではなく、本発明の範囲を逸脱することなく種々の変更乃至修正が可能である。
【符号の説明】
【０１０２】
２，２Ａ，２Ｂ，２Ｃ  歯科技工用作業模型
４  歯形模型
６  固定用プレート
８，８Ａ，８Ｂ，８Ｃ，８Ｄ，８Ｅ，８Ｆ  支持基台
１０，１０Ａ，１０Ｂ．１０Ｃ，１０Ｄ，１０Ｅ，１０Ｆ  基台本体部
１６，１６Ａ，１６Ｂ，１６Ｃ，１８，１８Ａ，１８Ｂ，１８Ｃ，  第１連結突部
１６Ｄ，１６Ｅ，１６Ｆ，１８Ｄ，１８Ｅ，１８Ｆ  連結突部
２０，２２  第１内傾斜側面
２４，２６  第１凹状部
２８  第２連結突部
３０，３２  第２外傾斜面
３４，３６  第２凹状部
４０，４２  第１連結凹部
４４，４６  第１外傾斜側面
４８，５０  第１凸状部
５４，５６  第２内傾斜側面
５８，６０  第２凸状部
１０２，１０２Ｅ，１２Ｆ，１０４，１０４Ｅ，１０４Ｆ  補助突部
１０６，１０６Ｅ，１０６Ｆ，１０８，１０８Ｅ，１０８Ｆ  補助突状部
【図１】
2013078511.tif 000003
【図２】
2013078511.tif 000004
【図３】
2013078511.tif 000005
【図４】
2013078511.tif 000006
【図５】
2013078511.tif 000007
【図６】
2013078511.tif 000008
【図７】
2013078511.tif 000009
【図８】
2013078511.tif 000010
【図９】
2013078511.tif 000011
【図１０】
2013078511.tif 000012
【図１１】
2013078511.tif 000013
【図１２】
2013078511.tif 000014